(57)【要約】【課題】  フライバック型構成の直流−直流変換回路を備えた点灯装置において、スイッチング周波数に係る揺らぎの付与を適正に行って、高調波ノイズを抑制する。【解決手段】  照明用光源（放電灯等）の点灯装置において、フライバック型構成の直流−直流変換回路３がトランス１０及びスイッチング素子１２を有する。照明用光源への供給電力を制御するための制御回路を備え、該制御回路からスイッチング素子１２に送られる制御信号によって電流境界モードでの動作制御が行われる。照明用光源の電力制御に係る目標電力値を基準として、該照明用光源への供給電力を変化させることでスイッチング素子の駆動周波数に揺らぎを付与するために揺らぎ発生回路１６を設けた。【選択図】  図２
2006049127.tif 000002
【特許請求の範囲】
【請求項１】
直流入力電圧を所望の直流電圧に変換するためにトランス及びスイッチング素子を有するフライバック型構成とされた直流−直流変換回路と、照明用光源への供給電力を制御するための制御回路とを備え、該制御回路から上記スイッチング素子に送られる制御信号によって電流境界モードでの動作制御が行われるように構成された、照明用光源の点灯装置において、
上記照明用光源の電力制御に係る目標電力値を基準として、該照明用光源への供給電力を変化させることで上記スイッチング素子の駆動周波数に揺らぎを付与するための揺らぎ発生回路を設けた
ことを特徴とする照明用光源の点灯装置。
【請求項２】
請求項１に記載した照明用光源の点灯装置において、
上記制御回路が、誤差演算部と、上記スイッチング素子への制御信号を生成する制御信号生成部を備え、
上記誤差演算部の一方の入力信号として所定の基準信号が供給され、他方の入力信号として、上記照明用光源に係る電圧又は電流の検出情報に基づいて算出される電力制御信号に対して上記揺らぎ発生回路の出力信号を重畳した信号が供給される
ことを特徴とする照明用光源の点灯装置。
【発明の詳細な説明】
【技術分野】
【０００１】
本発明は、フライバック型構成の直流電圧変換手段を用いた点灯装置におけるノイズ対策技術に関する。
【背景技術】
【０００２】
自動車用照明に放電灯（ＨＩＤランプ等）や発光素子（ＬＥＤ等）の光源を用いる場合において、該光源の電力制御にスイッチング電源回路（ＤＣ−ＤＣコンバータ）を備えた構成形態が知られており、例えば、トランスと、該トランスの一次側に設けられるＦＥＴ（電界効果トランジスタ）等の半導体スイッチング素子を用いたフライバック方式では、動作モードに関して下記に示す３種類のモードに分類される。
【０００３】
・電流連続モード
・電流境界モード
・電流不連続モード。
【０００４】
電流連続モードでは、トランスに蓄えられるエネルギーを二次側に完全に放出する前にスイッチング素子がオン状態となるのに対して、電流境界モードではトランスに蓄えられるエネルギーを二次側に完全に放出した時点でスイッチング素子がオン状態となる。また、電流不連続モードでは、トランスに蓄えられるエネルギーを二次側に完全に放出した時点から、ある期間（不連続期間）の経過後にスイッチング素子がオン状態となる。
【０００５】
スイッチング素子を高周波で動作させる場合において、電流境界モードでは、二次側の整流ダイオードの逆回復損失が減少し、回路効率面で有利な特徴を有するが、放電灯への投入電力を一定とした場合において、スイッチング周波数が一義的に決定されてしまい、該スイッチング周波数の高調波がラジオ放送帯域に及ぼす影響（ラジオノイズ）が問題とされる。
【０００６】
そこで、例えば、周波数揺らぎを意図的に発生させることにより周波数スペクトルを分散させ、ノイズの時間平均値を低減させる方法が採用される。
【０００７】
放電灯に係る出力電流や電力の制御において揺らぎを与えてスイッチング周波数を変化させる構成形態（例えば、特許文献１参照。）では、例えば、制御回路を構成するエラーアンプの基準電圧を所定の周波数で変化させ、あるいは該エラーアンプの出力電圧を所定周波数で変化させる方法が知られている。
【０００８】
【特許文献１】特開２００３−２６４０９５号公報
【発明の開示】
【発明が解決しようとする課題】
【０００９】
しかしながら、従来の回路構成では、設計上の目標電力に対して揺らぎ幅を正確に設定することが困難とされるか、あるいはそのための構成が複雑化することやコスト上昇等が問題となる。
【００１０】
ラジオ放送帯域は、ＬＷ帯、ＡＭ帯、ＳＷ帯、ＦＭ帯等に区分されるが、例えば、自動車の照明用途において回路装置の小型化等を高周波スイッチング方式によって実現するためには、ＬＷ帯とＡＭ帯との間に位置する帯域（約３００乃至５００キロヘルツ）での周波数設定が必要とされる。その際、揺らぎ幅の設定が適切でないと、ノイズレベルを充分に低減することができなくなり、ノイズフィルタの付設等による対策を余儀なくされる（部品点数の増加やコスト上昇に繋がる。）。
【００１１】
そこで、本発明は、フライバック型構成の直流−直流変換回路を備えた点灯装置において、スイッチング周波数に係る揺らぎの付与を適正に行えるようにして、高調波ノイズを充分に抑制することを課題とする。
【課題を解決するための手段】
【００１２】
本発明は、上記した課題を解決するために、直流入力電圧を所望の直流電圧に変換するためにトランス及びスイッチング素子を有するフライバック型構成とされた直流−直流変換回路と、照明用光源への供給電力を制御するための制御回路とを備え、該制御回路から上記スイッチング素子に送られる制御信号によって電流境界モードでの動作制御が行われるように構成された、照明用光源の点灯装置において、照明用光源の電力制御に係る目標電力値を基準として、該照明用光源への供給電力を変化させることで上記スイッチング素子の駆動周波数に揺らぎを付与するための揺らぎ発生回路を設けたものである。
【００１３】
従って、本発明では、照明用光源の電力制御に係る目標電力値を中心とした上下変動が許容されることを前提として供給電力値を操作することにより、結果として、スイッチング周波数に揺らぎを与えるとともに、その揺らぎ幅を設計上正確に設定することができる。
【発明の効果】
【００１４】
本発明によれば、スイッチング周波数に係る揺らぎ付与を適正に行い、高調波ノイズを充分に抑制して、電磁干渉等を防止することができる。
【００１５】
そして、上記制御回路が、誤差演算部と、上記スイッチング素子への制御信号を生成する制御信号生成部とを備えた構成において、誤差演算部の一方の入力信号として所定の基準信号が供給され、他方の入力信号として、照明用光源に係る電圧又は電流の検出情報に基づいて算出される電力制御信号に対して揺らぎ発生回路の出力信号を重畳した信号が供給されるようにすれば、回路の構成や制御の複雑化、著しいコスト上昇等を伴わずにノイズ対策を講じることができる。また、誤差演算部の基準信号に揺らぎ発生回路の出力信号を重畳する方式に比べて、誤差演算部の製造上又は特性のバラツキや温度変化等の要因に対して安定した周波数揺らぎの制御が可能となる。
【発明を実施するための最良の形態】
【００１６】
図１は、本発明に係る点灯装置１の基本構成例を示すものである。
【００１７】
直流電源２に繋がれた直流−直流変換回路３は、直流電源２からの直流入力電圧を受けて所望の直流電圧に変換するものであり、フライバック型ＤＣ−ＤＣコンバータが用いられる。つまり、後述のように、トランス及びスイッチング素子を有する回路構成において、制御回路からの制御信号によってスイッチング素子が駆動される。
【００１８】
直流−交流変換回路４は、直流−直流変換回路３の出力電圧を交流電圧に変換した上で照明用光源５（ＨＩＤランプ等の放電灯）に供給するために設けられている。例えば、Ｈブリッジ（あるいはフルブリッジ型）の回路構成では、４つの半導体スイッチング素子を用いて２つのアームを構成し、各アームのスイッチング素子を各別に駆動するための駆動回路を備えており、２組のスイッチング素子対を相反的にオン／オフ制御することによって、交流電圧を出力する。
【００１９】
照明用光源５としてメタルハライドランプ等の放電灯を用いる場合には、高電圧パルス信号（起動用パルス）を発生させて放電灯を起動させるための回路（図示せず。）が設けられ、該信号が直流−交流変換回路４の出力する交流電圧に重畳されて放電灯に印加される。尚、本発明の適用において、直流−交流変換回路４は任意的な構成要素とされる（ＬＥＤ等のように、照明用光源５が直流で駆動される場合に、直流−交流変換回路４は不要である。）。
【００２０】
制御回路６は、照明用光源５への供給電力を制御するために設けられており、本例では、電流境界モード制御部７と電力制御部８を備えている。
【００２１】
電流境界モード制御部７は、直流−直流変換回路３に関して電流境界モードで動作制御を行うために設けられている。また、電力制御部８は、照明用光源５に係る状態検出信号に応じて該光源への投入電力を制御する。例えば、ランプ電圧やランプ電流又はそれらに相当する電圧や電流についての検出信号を取得するための回路が設けられており、ランプ状態の検出信号（電圧検出信号「ＶＬ」や電流検出信号「ＩＬ」を参照）を電力制御部８が受けて、直流−直流変換回路３に対して制御信号（これを「Ｓｏ」と記す。）を送出することによりその出力電圧を制御する。該信号Ｓｏの生成時には、電流境界モード制御部７の出力信号が参照され、生成後のＳｏは直流−直流変換回路３を構成するスイッチング素子に送られ、該素子のオン／オフ制御に従って電流境界モードでの動作制御が行われる。尚、スイッチング制御方式としては、例えば、ＰＷＭ（パルス幅変調）方式、ＰＦＭ（パルス周波数変調）方式が知られている。
【００２２】
図２は、直流−直流変換回路３と電流境界モード制御部７、電力制御部８を含めた要部の回路構成例９について説明するための図である。
【００２３】
図中に示す「Ｖin」は、直流−直流変換回路３への直流入力電圧を示し、「Ｖout」は直流−直流変換回路３の直流出力電圧を示している。
【００２４】
トランス１０の一次側にはコンデンサ１１が設けられており、一次巻線１０ｐの始端が該コンデンサ１１の一端に接続されるとともに、一次巻線１０ｐの終端がスイッチング素子１２に接続されている。尚、本例では、スイッチング素子１２にＮチャンネルＦＥＴを用いている。
【００２５】
トランス１０の二次側には、整流用のダイオード１３と平滑用のコンデンサ１４が設けられている。二次巻線１０ｓの始端が、一次巻線１０ｐとスイッチング素子１２との接続点に接続されるとともに、二次巻線１０ｓの終端がダイオード１３のアノードに接続されている。そして、ダイオード１３のカソードにコンデンサ１４の一端が接続されてその端子電圧がＶoutとして負荷（照明用光源）に対して出力される。
【００２６】
電流境界モード制御部７の入力端子は、一次巻線１０ｐとスイッチング素子１２との接続点に接続されており、本例ではＦＥＴのドレイン−ソース間電圧が検出される。そして、電流境界モード制御部７の出力信号（ランプ波）が、後述の信号生成回路に送出される。
【００２７】
本例において、電力制御部８は、電力演算部１５、揺らぎ発生回路１６、誤差演算部１７、制御信号生成部１８を備えている。
【００２８】
電力演算部１５は、第１演算部１５ａ、第２演算部１５ｂとオフセット付与回路１５ｃを有する。
【００２９】
第１演算部１５ａは、例えば、電圧検出信号ＶＬに応じた出力電流（これを「ｉ１」と記す。）を生成するものであり、ＶＬを入力とする所定の関数発生回路を備えている（関数形については任意で良い。）。第１演算部１５ａの出力は、抵抗Ｒ１を介して誤差演算部１７に送られる。
【００３０】
第２演算部１５ｂは、例えば、電流検出信号ＩＬに応じた出力電流（これを「ｉ２」と記す。）を生成するものであり、ＩＬを入力とする所定の関数発生回路を備えている（関数形については任意で良い。）。第２演算部１５ｂの出力は、抵抗Ｒ２を介して誤差演算部１７に送られる。
【００３１】
オフセット付与回路１５ｃについては、図に定電圧源の記号で示すように、所定の基準電圧「Ｅref」が抵抗Ｒ３を介して誤差演算部１７に送られる（出力電流「ｉ３」参照。）。
【００３２】
揺らぎ発生回路１６は、上記ｉ１、ｉ２、ｉ３に基づく目標電力値を基準として、照明用光源５に対して供給される電力を変化させることでスイッチング素子１２の駆動周波数に揺らぎを付与するために設けられている（具体的な回路構成については、後で詳述する。）。そして、揺らぎ発生回路１６の出力は抵抗Ｒ４を介して誤差演算部１７に送られる（出力電流「ｉ４」参照。）。
【００３３】
このように、第１演算部１５ａ、第２演算部１５ｂ、オフセット付与回路１５ｃ、揺らぎ発生回路１６が並列的に配置され、抵抗Ｒ１乃至Ｒ４の各抵抗値によって決まる加重係数に応じて重み付け加算が行われて各部の制御信号（各出力電流の総和）が誤差演算部１７に送出される。本例では、誤差演算部１７を構成するエラーアンプの負入力端子に該制御信号が入力され、エラーアンプの正入力端子には定電圧源の記号で示す所定の基準電圧「Ｖref」が供給される。
【００３４】
誤差演算部１７の出力信号は、後段の制御信号生成部１８に送られて上記制御信号Ｓｏが生成される。例えば、ＰＷＭ方式の場合、制御信号生成部１８にはＰＷＭコンパレータ等が含まれ、誤差演算部１７からのエラー信号が該コンパレータの正入力端子に供給される。そして、該コンパレータの負入力端子には電流境界モード制御部７の出力信号が供給され、両者のレベル比較結果に応じて変化するデューティー比の出力信号が生成されて、前記スイッチング素子１２に供給される。また、ＰＦＭ方式では、誤差演算部１７からのエラー信号に応じて周波数の変化する出力信号が生成されて、前記スイッチング素子１２に供給される。
【００３５】
図３は、揺らぎ発生回路１６の構成例を示したものである。
【００３６】
演算増幅器１９の非反転入力端子には、給電ライン２０による電源電圧（Ｖcc）あるいは所定の基準電圧を直列抵抗２１、２２によって分圧した電圧が入力される。また、演算増幅器１９の反転入力端子はコンデンサ２３を介して接地されている。
【００３７】
演算増幅器１９の出力端子には抵抗２４、２５が接続されており、その一方２４を介して次段の演算増幅器２６の非反転入力端子及びコンデンサ２３に接続されている。尚、演算増幅器２６は電圧バッファを構成しており、その反転入力端子が出力端子に接続されるとともに上記抵抗Ｒ４に接続されている。
【００３８】
他方、抵抗２５については、エミッタ接地とされるＮＰＮトランジスタ２７のベースに接続され、該トランジスタのコレクタが抵抗２８を介して給電ライン２０に接続されるとともに、エミッタ接地とされるＮＰＮトランジスタ２９のベースに接続されている。
【００３９】
そして、ＮＰＮトランジスタ２９のコレクタが抵抗３０を介して演算増幅器１９の非反転入力端子に接続されている。
【００４０】
本構成において、演算増幅器１９とトランジスタ２７、２９等を用いてヒステリシス・コンパレータが構成され、これに帰還抵抗２４及びコンデンサ２３を付加することで発振器が形成される。つまり、ヒステリシス・コンパレータに係る上限閾値を「Ｖ＋」、下限閾値を「Ｖ−」と記すとき、コンデンサ２３の端子電圧は、所定の周波数（例えば、数十乃至百ヘルツ程度）をもってＶ＋とＶ−との間で連続的に変化する揺らぎ波となる。そして、この信号が電圧バッファを経て抵抗Ｒ４から誤差演算部１７に供給される。
【００４１】
図２に示したように、電力演算部１５の出力電流に対して、抵抗Ｒ４の抵抗値に応じて揺らぎ波が重畳され、供給電力の目標電力が変動する。つまり、該抵抗値の設定又は調整によって、揺らぎ幅を変更することができる（抵抗Ｒ４の抵抗値が小さいほど揺らぎ波の影響が大きくなり、電力演算結果に占める割合が高まる。）。
【００４２】
図４は、電流境界モード制御部７の回路構成について一例を示したものであり、電流境界検出回路３１とランプ波発生回路３２を備えている。
【００４３】
図中の「ＶDS」は、スイッチング素子１２に使用したＦＥＴのドレイン−ソース間電圧を示しており、電流境界検出回路３１において、直列接続のコンデンサ３３及び抵抗３４、３５を介してＮＰＮトランジスタ３６のベースに供給される。
【００４４】
２つのダイオード３７、３８はリミッタ回路を構成しており、その一方３７のカソードが所定電圧の電源ライン３９に接続され、そのアノードが抵抗３４と３５との接続点に繋がれている。そして、ダイオード３８のカソードがダイオード３７のアノードに接続され、ダイオード３８のアノードが接地されている。
【００４５】
エミッタ接地のＮＰＮトランジスタ３６は、そのベースが抵抗３５、４０を介して電源ライン３９に接続されている。そして、該トランジスタのコレクタが抵抗４１を介して電源ライン３９に接続されるとともに、次段のＮＰＮトランジスタ４２のベースに接続されている。
【００４６】
ランプ波発生回路３２は定電流源４３、コンデンサ４４、演算増幅器４５、トランジスタ４６、４７を用いて構成されている。
【００４７】
コンデンサ４４の一端は、抵抗４８を介してトランジスタ４２のコレクタに接続されるとともに、定電流源４３が接続されている。トランジスタ４２がオフ状態の場合に、定電流源４３によりコンデンサ４４の充電動作が行われる。
【００４８】
演算増幅器４５は、その反転入力端子にコンデンサ４４の端子電圧が供給され、また、その非反転入力端子には、抵抗４９、５０を用いて分圧された基準電圧が供給される。尚、抵抗５１は、演算増幅器４５の非反転入力端子と出力端子に接続された帰還抵抗である。
【００４９】
エミッタ接地とされるトランジスタ４６のベースは、抵抗５２を介して演算増幅器４５の出力端子に接続されており、該トランジスタ４６のコレクタが抵抗５３を介して電源ライン３９に接続されている。
【００５０】
そして、次段のトランジスタ４７のベースがトランジスタ４６のコレクタに接続され、トランジスタ４７のコレクタが抵抗５４を介して、演算増幅器４５の反転入力端子に接続されている。
【００５１】
本構成において、スイッチング素子１２に係るＶDSのエッジ検出がコンデンサ３３を用いて行われ、その結果に応じてトランジスタ３６、４２のオン／オフ状態が規定される。つまり、ＶDSはトランス１０の二次電流の吐き出し終了時点で共振を始め、その立ち下がりエッジ（ネガティブ−ゴーイングエッジ）が検出されると、トランジスタ３６が一時的にオフ状態となり、これに伴ってトランジスタ４２がオン状態となる。
【００５２】
演算増幅器４５とトランジスタ４６、４７等を用いてヒステリシス・コンパレータが構成され、これに帰還抵抗５１及びコンデンサ４４を付加することで発振器が形成され、コンデンサ４４から取り出されるランプ波「Ｖramp」が前記制御信号生成部１８に送出される。尚、上記エッジ検出時にトランジスタ４２が一時的にオン状態となっときにコンデンサ４４が放電されてＶrampのレベルが下がり、その後にトランジスタ４２がオフ状態になった時点からＶrampのレベルが上昇するという動作が繰り返えされる。
【００５３】
上記電流境界モード制御部７によって生成されるＶrampと、誤差演算部１７の出力信号とがレベル比較された結果、制御信号Ｓｏが生成されてスイッチング素子１２が駆動制御され、直流−直流変換回路３に関して電流境界モードでの動作が実現される。即ち、スイッチング素子１２がオン状態の期間にトランス１０がエネルギーを蓄え、該スイッチング素子１２がオフ状態の期間で該エネルギーを二次巻線１０ｓから出力するとともに、該エネルギーを完全に放出した時点から再びスイッチング素子１２がオン状態となるサイクルが得られる。
【００５４】
トランス１０において一次電流を流す時間と出力電力との間には相関があり、出力電力を変化させることで一次電流を流す時間が変化し、結果的にスイッチング周波数が変動する。つまり、出力電力がその目標値又は平均値を基準として上昇（低下）するとスイッチング周波数が低下（上昇）するという関係が成立する。
【００５５】
出力電力を変化させるにあたって、図２の構成では誤差演算部１７において、その一方の入力信号として、照明用光源に係る電圧又は電流の検出情報に基づいて算出される電力制御信号（ｉ１乃至ｉ３）に対して揺らぎ発生回路１６の出力信号（ｉ４）を重畳した信号が供給される。つまり、揺らぎ波形の電圧上昇（下降）時に、照明用光源に供給する目標電力値を大きく（小さく）し、これによりトランス１０にて１次電流を流す時間が長く（短く）なり、スイッチング素子の駆動周波数が下がる（上がる）。
【００５６】
上記に説明した構成によれば、照明用光源の電力制御において、その目標電力値を基準として供給電力を変化させること（例えば、変動量を定格電力値の５％乃至３０％程度とし、目視で光量変化が認められない程度とする。）により、結果としてスイッチング周波数の揺らぎ付与を実現することができる。よって、ノイズフィルタ等の付設に依らずに比較的簡易な回路構成をもってノイズ対策を講じることが可能である。
【図面の簡単な説明】
【００５７】
【図１】本発明に係る基本構成例を示す図である。
【図２】本発明に係る要部の回路構成例を示す図である。
【図３】本発明に係る揺らぎ発生回路の構成例を示す図である。
【図４】電流境界モード制御部の回路構成例を示す図である。
【符号の説明】
【００５８】
１…点灯装置、３…直流−直流変換回路、５…照明用光源、６…制御回路、１０…トランス、１２…スイッチング素子、１６…揺らぎ発生回路、１７…誤差演算部、１８…制御信号生成部
【図１】
2006049127.tif 000003
【図２】
2006049127.tif 000004
【図３】
2006049127.tif 000005
【図４】
2006049127.tif 000006